(57)【特許請求の範囲】
【請求項１】
傾斜地に設置された軌条に乗架され、エンジンの動力を遠心クラッチ又はベルトと減速機を介して駆動輪に伝達することにより走行する単軌条運搬機において、遠心クラッチ又はベルトの発熱を検知して、一定以上の温度になるとエンジンが停止するよう電気的に構成したことを特徴とする単軌条運搬車のエンジン停止装置。
【請求項２】
遠心クラッチ又はベルトの発熱を検知して、一定以上の温度になるとエンジンが停止し、制動装置が作動するよう電気的に構成したことを特徴とする請求項１に記載の単軌条運搬車のエンジン停止装置。
【発明の詳細な説明】
【０００１】
【発明の属する技術分野】
本発明に係る単軌条運搬車のエンジン停止装置は、遠心クラッチ又はベルトの発熱を検知して、一定以上の温度になるとエンジンが停止するよう電気的に構成した単軌条運搬車を提案するものである。
【０００２】
一つの軌条に複数の運搬機を走行させて無人走行を繰り返す作業では、機体を衝突させる事故が多く発生する。機体の衝突が起きればバンパ停止装置が作動することもあるが、衝突時にバンパ停止装置が確実に作動しない場合には、エンジンが停止しないことがあるので、遠心クラッチ又はベルトがスリップして発熱し、発火する恐れがあった。無人走行で山間地を走行しているため、これが原因で山林火災の恐れも多大であった。
【０００３】
【従来の技術】
エンジンの動力を遠心クラッチ、ベルト、減速機を介して駆動輪に動力伝達する単軌条運搬機では、軌条の任意の地点で停止するには、従業者が操作レバーを操作して走行を停止させたり、無人走行では軌条にストッパを設けて停止アームをストッパにより作動させ、ストッパに連動した操作レバーの回動により走行を停止させていた。
【０００４】
又、軌条の障害物を感知するバンパ及びリミットスイッチにより、電気的にエンジンを停止する装置は知られている。
【０００５】
送電線の配線、鉄塔建設、修理等の工事では、山間地の傾斜地に一本の軌条を設置して、作業効率を良くするために複数の現場で使用する複数の運搬機を一本の軌条に乗架させて同時に作業が進行する必要がある。
【０００６】
【発明が解決しようとする課題】
一つの軌条に複数の運搬機を走行させて、無人走行を繰り返す作業では、偶然に機体を衝突させることが多く発生する。この時、バンパ停止装置が作動することもあるが、軌条は上下左右にカーブしており、衝突時にバンパが確実に作動しないで、エンジンが停止しないことがある。
【０００７】
この場合、遠心クラッチ又はベルトがスリップして発熱し、発火する恐れがあった。無人走行であり、山間地を走行しているため。これが原因で山火事の恐れも多大であった。
【０００８】
本発明は、遠心クラッチ又はベルトのスリップによる発熱を検知して、エンジンが停止すると共にエンジン停止と同時に制動装置が作動するようにした単軌条運搬車を提供することを提案するものである。
【０００９】
【課題を解決するための手段】
本発明に係る単軌条運搬車のエンジン停止装置は、傾斜地に設置された軌条に乗架され、エンジンの動力を遠心クラッチ又はベルトと減速機を介して駆動輪に伝達することにより走行する単軌条運搬機において、遠心クラッチ又はベルトの発熱を検知して、一定以上の温度になるとエンジンが停止するよう電気的に構成したことを特徴とするものである。
【００１０】
この単軌条運搬車のエンジン停止装置は、遠心クラッチ又はベルトの発熱を検知して、一定以上の温度になるとエンジンが停止し、制動装置が作動するよう電気的に構成したことを特徴とする。
【００１１】
一定以上の温度になれば溶断する温度ヒューズを遠心クラッチ又はベルトの近くに設け、遠心クラッチ又はベルトの発熱を検知する手段とする。通常運転中においては、リレーコイルＲは非常停止ボタン、バンパスイッチ、温度ヒューズの回路が接続状態にあるため通電しており、Ｒ接点も接続されている。非常時においては、温度ヒューズが溶断するとリレーコイルの通電が遮断され、同時にＲ接点も切れるため、エンジン停止用ソレノイドタイマが作動し、エンジン停止用ソレノイドの作動によりエンジンが停止すると、エンジン停止をエンジンオイルプレッシャスイッチで検知し、電磁ブレーキの解放電流を遮断して電磁ブレーキがかかることになる。
【００１２】
【発明の実施の形態】
本発明は、従来技術においてバンパ及びリミットスイッチの不作動時に遠心クラッチ及びベルトの摩擦による過熱で火災が起きる恐れがあった不具合を解決したものである。遠心クラッチとベルトの近くに、発熱を検知する温度ヒューズを設け、遠心クラッチ又はベルトがスリップして発熱して一定以上の温度に達すると、温度ヒューズが断線してエンジン停止回路が作動するよう電気的に構成したものである。
【００１３】
温度ヒューズは、ベルト及びクラッチ周辺の部材の発火点以下の温度に設定してある。これにより万一バンパ停止装置が作動しないで、遠心クラッチ、ベルトがスリップし始めても、ベルト等の発火前に温度ヒューズが断線し、エンジンが停止するため、火災の恐れがなくなった。
【００１４】
摩擦によりエンジンの動力伝達する手段を持つ機種では、デイスクで接続されるデイスククラッチ若しくは遠心クラッチを使用するものである。このため、デイスク若しくは遠心クラッチのドラムの中で摩擦熱が生じるため、それらの近くに検知手段を設ける。或いは、ベルトテンションによりエンジンの動力を伝達する手段を持つものでは、遠心クラッチを用いないため、エンジンプーリとベルトの接触する部分で発熱する。そのためベルトの近くに発熱の検知手段を設けることになる。又、デイスククラッチ、遠心クラッチ、ベルトも破損する前にエンジン停止することで、耐久性が向上することとなった。
【００１５】
発熱を検知する手段としては、温度ヒューズに限らず、温度センサー、バイメタルを使用した温度スイッチのいずれかを使用してもよい。
【００１６】
【実施例】
添付図面は、本発明に係る単軌条運搬車のエンジン停止装置の実施例について図示している。図１は、単軌条運搬車のエンジン停止装置の非常停止回路を示す配線図、図２は、エンジンの動力を遠心クラッチ、ベルト、減速機を介して駆動輪に伝達する機構において遠心クラッチ及びベルトの発熱を検知する温度ヒューズを図示する単軌条運搬車の側面図、図３は、エンジン動力を駆動輪に伝達する機構にベルトカバーを設けた単軌条運搬車の側面図，図４は、単軌条運搬車の背面図をそれぞれ示すものである。図面に基づいて本発明の実施例について説明する。
【００１７】
単軌条運搬車のエンジン停止装置は、傾斜地に設置された軌条１に乗架され、エンジン８の動力を遠心クラッチ６又はベルト５と減速機３を介して駆動輪２に伝達することにより走行する単軌条運搬機において、遠心クラッチ６又はベルト５の近くに温度ヒューズ７を設け、非常停止ボタン１１、バンパスイッチ１０、温度ヒューズ７を直列に入れたリレーコイルＲ１２の回路を構成する。遠心クラッチ６又はベルト５の発熱を検知して、一定以上の温度になると温度ヒューズ７が溶断してエンジン８が停止するよう電気的に構成した。
【００１８】
この単軌条運搬車のエンジン停止装置は、遠心クラッチ６又はベルト５のスリップにより発生する発熱を温度ヒューズで検知して、一定以上の温度になるとリレーコイルＲ１２に通電している回路のうち温度ヒューズ７が溶断してＲ接点１３の接続が切れるためエンジン８が停止し、エンジン停止をエンジンオイルプレッシャスイッチが検知して電磁ブレーキ１６に流れている解放電流が切れるため制動装置が作動する。
【００１９】
遠心クラッチ６とベルト５の近くに設けた温度ヒューズ７が遠心クラッチ６とベルト５のスリップにより生じた熱で溶断した場合に、非常停止回路の作動について説明する。通常運転中においては、リレーコイルＲ１２は非常停止ボタン１１、バンパスイッチ１０、温度ヒューズ７の回路が接続状態にあるため通電しており、Ｒ接点１３も接続されている。非常時においては、遠心クラッチ又はベルトのスリップにより発生した熱により温度が一定以上になると温度ヒューズが溶断して、温度ヒューズ７が溶断するとリレーコイル１２の通電が遮断され、同時にＲ接点１３も切れるため、エンジン停止用ソレノイドタイマ１４が作動し、停止ソレノイド１５を働かせてエンジン８を停止する。
【００２０】
エンジン停止をエンジンオイルプレッシャスイッチで検知し、電磁ブレーキ１６の解放電流を遮断することにより、ブレーキ作動する。
【００２１】
【発明の効果】
本発明の効果は、非常時にバンパ停止装置が作動しなくてもエンジンを停止すると共にブレーキがかかり、スリップにより発生した熱による火災から機体の損傷を防止して、森林火災を防止することが出来るものである。
【００２２】
遠心クラッチ又はベルトの近くに設けた温度ヒューズが遠心クラッチ及びベルトのスリップによりに発生した熱を検知してエンジンを自動的に停止すると共に制動装置が作動して軌条運搬車が停止することが出来るようにした。
【００２３】
本発明の効果により、一本の軌条を無人走行する複数の軌条運搬車の安全性が確実になるので、軌条周辺の森林保護上においても、又作業時に生じる衝突事故による機体の損傷や焼失等余計な不安や心配がなくなるので作業効率の向上においても極めて望ましいものである。
【図面の簡単な説明】
【図１】単軌条運搬車のエンジン停止装置の電気回路を示す配線図
【図２】エンジンの動力を遠心クラッチ、ベルト、減速機を介して駆動輪に伝達する機構において遠心クラッチ及びベルトの発熱を検知する温度ヒューズを図示する単軌条運搬車の側面図
【図３】エンジン動力を駆動輪に伝達する機構にベルトカバーを設けた単軌条運搬車の側面図
【図４】単軌条運搬車の背面図
【符号の説明】
１．．．軌条
２．．．駆動輪
３．．．減速機
４．．．入力プーリ
５．．．Ｖベルト
６．．．遠心クラッチ
７．．．温度ヒューズ
８．．．エンジン
９．．．バンパ
１０．．．バンパスイッチ
１１．．．非常停止ボタン
１２．．．リレーコイルＲ
１３．．．Ｒ接点
１４．．．エンジン停止ソレノイドタイマ
１５．．．停止ソレノイド
１６．．．電磁ブレーキ
【図１】
0003599261.tif 000002
【図２】
0003599261.tif 000003
【図３】
0003599261.tif 000004
【図４】
0003599261.tif 000005